(57)【特許請求の範囲】
【請求項１】
筒状の誘電体の内周面に高圧電極を設けて成る放電管を複数個並設し、前記各放電管の高圧電極に高電圧を印加してオゾンを発生させるオゾン発生装置において、
前記複数の放電管の各内周に配設され、一端が金属ブラシを介して前記高圧電極に接続されるヒューズの、他端部に設けられためねじ部と、
一端が前記ヒューズの他端部に固着されるとともに、他端にネジ止め用の穴部が形成された金属板とを備え、
前記放電管の金属板の穴部と、該放電管に隣接する放電管の金属板のめねじ部とをネジ止めすることにより、複数の放電管を接続することを特徴とするオゾン発生装置の放電管接続装置。
【請求項２】
前記金属板の一端から他端の穴部までの長さは、隣接する放電管どうしの中心間距離に等しく形成されていることを特徴とする請求項１に記載のオゾン発生装置の放電管接続装置。
【請求項３】
筒状の誘電体の内周面に高圧電極を設けて成る放電管を複数個有し、前記各放電管の高圧電極に高電圧を印加してオゾンを発生させるオゾン発生装置において、
前記複数の放電管の各内周に配設され、一端が前記高圧電極に接触される金属ブラシの他端にヒューズの一端を接続し、該ヒューズの他端部に、穴部が一端に設けられて成る金属板の他端を固着するとともに、めねじ部を刻設し、
前記１つの放電管を中心とし、その外周に複数の同心円を形成するように複数の放電管を配設し、
放電管の金属板の穴部と、該放電管に同一円上で隣接する放電管の金属板のめねじ部とをネジ止めし、
前記中心となる放電管のヒューズの他端部と、複数の同心円上の各１つの放電管のヒューズの他端部と、高圧碍子とを電気的に接続することを特徴とするオゾン発生装置の放電管接続方法。
【請求項４】
前記複数の放電管のうち、外周に配設された放電管が同心円を形成するに至らない設置個数である場合は、当該放電管の金属板の穴部と、隣接する同心円上の放電管の金属板のめねじ部とをネジ止めすることを特徴とする請求項３に記載のオゾン発生装置の放電管接続方法。
【請求項５】
前記金属板の一端から他端の穴部までの長さは、隣接する放電管どうしの中心間距離に等しく形成されていることを特徴とする請求項３又は４に記載のオゾン発生装置の放電管接続方法。
【発明の詳細な説明】
【０００１】
【発明の属する技術分野】
本発明は、オゾン発生装置に用いられる放電管の接続装置および接続方法に関する。
【０００２】
【従来の技術】
オゾン発生装置には、例えば、筒状の誘電体の内周面に高圧電極を設けて成る放電管を複数個並設し、前記各放電管の高圧電極に高電圧を印加してオゾンを発生させる、いわゆる無声放電式の大容量のオゾン発生装置が用いられる。
【０００３】
この無声放電式のオゾン発生装置には、図３のような放電管が多数使用される。図３において、１は一端が閉塞されたガラス管（誘電体管）から成る放電管であり、その内周にはＡｌやＳＵＳなどの金属をコーティングすることにより高圧電極２が形成されている。放電管１の内周には、高圧電極２に接触される金属ブラシ３およびヒューズ４が配設され、ヒューズ４の先端にはおねじ部５が刻設されている。
【０００４】
図３のように構成された放電管は、その高圧電極を高圧碍子（図示省略）に接続しなければならない。この場合図４に示すように、放電管１のおねじ部５において金属板６をネジ７により取り付けて放電管１どうしを接続する。また放電管１と高圧碍子（図示省略）も図４と同様の方法により接続する。
【０００５】
【発明が解決しようとする課題】
大容量のオゾン発生装置には数十本から百数十本の放電管が使用される。そのすべての放電管が電気的に接続されるためには、１本の放電管から最低２つ以上の金属板６が出ていなければならず、その金属板の数も放電管の本数以上必要であり、接続作業が困難であった。またすべての放電管が電気的に接続されているかどうかの確認も、本数が増えるにつれ不確かなものとなり、接続されていない放電管が存在する可能性が高くなる。
【０００６】
本発明は上記の点に鑑みてなされたものでその目的は、簡単な接続作業により多数の放電管を確実に接続することができるオゾン発生装置の放電管接続装置および放電管接続方法を提供することにある。
【０００７】
【課題を解決するための手段】
本発明は、
（１）筒状の誘電体の内周面に高圧電極を設けて成る放電管を複数個並設し、前記各放電管の高圧電極に高電圧を印加してオゾンを発生させるオゾン発生装置において、前記複数の放電管の各内周に配設され、一端が金属ブラシを介して前記高圧電極に接続されるヒューズの、他端部に設けられためねじ部と、一端が前記ヒューズの他端部に固着されるとともに、他端にネジ止め用の穴部が形成された金属板とを備え、前記放電管の金属板の穴部と、該放電管に隣接する放電管の金属板のめねじ部とをネジ止めすることにより、複数の放電管を接続することを特徴とし、
（２）筒状の誘電体の内周面に高圧電極を設けて成る放電管を複数個有し、前記各放電管の高圧電極に高電圧を印加してオゾンを発生させるオゾン発生装置において、前記複数の放電管の各内周に配設され、一端が前記高圧電極に接触される金属ブラシの他端にヒューズの一端を接続し、該ヒューズの他端部に、穴部が一端に設けられて成る金属板の他端を固着するとともに、めねじ部を刻設し、前記１つの放電管を中心とし、その外周に複数の同心円を形成するように複数の放電管を配設し、放電管の金属板の穴部と、該放電管に同一円上で隣接する放電管の金属板のめねじ部とをネジ止めし、前記中心となる放電管のヒューズの他端部と、複数の同心円上の各１つの放電管のヒューズの他端部と、高圧碍子とを電気的に接続することを特徴としている。
【０００８】
（３）１本の放電管には１つの金属板を備えるだけで、容易に複数の放電管を接続することができる。金属板の一端は予めヒューズに固着されているので、穴部とめねじ部をネジ止めするだけの簡単な作業により放電管の接続を確実に行うことができる。
【０００９】
【発明の実施の形態】
本発明の放電管接続装置は図１のように構成される。図１は放電管１１内に挿入される部分のみを図示している。図１において、放電管の内周部に挿入するヒューズ１４の先端部には予め金属板１６の一端が溶接により固着されている。さらに金属板１６の溶接部分およびヒューズ１４の先端内部には、めねじ１７が刻設されている。金属板１６の他端には長穴１８が設けられている。このめねじ１７と長穴１８の間の距離は、隣接する放電管どうしの中心間距離に等しく形成されている。
【００１０】
次に、図１のように構成された放電管の接続方法を図２とともに説明する。まず、１つの放電管１１ａを中心とし、その外周に複数の同心円を形成するように複数の放電管１１ｂ〜１１ｎを配設し、放電管の金属板１６の長穴１８と、該放電管に同一円上で隣接する放電管のめねじ１７とをネジ止めして接続していく。次に前記中心となる放電管１１ａのヒューズの他端部と、複数の放電管の外周部に設けられた高圧碍子２１との間を、総ての同心円を橋絡接続するように、従来と同様の金属板６によって接続する。尚この中心となる放電管１１ａと総ての同心円と高圧碍子２１とを接続する方法は、金属板６に限らず導電線等によって接続しても良い。
【００１１】
このような接続方法により、多数の放電管を容易に接続することができる。金属板１６の一端は予めヒューズ１４に固着されているので、長穴とめねじをネジ止めするだけの簡単な作業により放電管の接続を確実に行うことができる。
【００１２】
【実施例】
また放電管が総て同心円上にない場合、すなわち図２（ｂ）のように外周に配設された放電管が同心円を形成するに至らない設置個数である場合は、例えば図示ｘ部であれば金属板１６ｘの長穴１８と、隣接する同心円上の放電管のめねじ１７とをネジ止めするものである。
【００１３】
【発明の効果】
以上のように本発明の放電管接続装置および放電管接続方法によれば、次のような優れた効果が得られる。
【００１４】
（１）金属板の一端は予めヒューズに固着されているので、穴部とめねじ部をネジ止めするだけの簡単な作業により放電管の接続を確実に行うことができる。このため数十本から百数十本の多数の放電管を接続する場合の作業が極めて簡素化される。
【００１５】
（２）多数の放電管を容易に接続することができるとともに、接続の確認もより確実に行うことができる。
【００１６】
（３）放電管接続用の金属板は１個の放電管につき１個備えるだけで済み、経済性に優れている。
【図面の簡単な説明】
【図１】本発明の接続装置の一実施例の要部を示し、（ａ）は側面図、（ｂ）は正面図。
【図２】本発明の接続方法を表し、（ａ）は一実施例の説明図、（ｂ）は他の実施例の説明図。
【図３】従来のオゾン発生装置の放電管の一例を示す構成図。
【図４】従来の放電管の接続方法の一例を示す要部構成図。
【符号の説明】
１，１１，１１ａ〜１１ｎ…放電管
２…高圧電極
３…金属ブラシ
４，１４…ヒューズ
６，１６，１６ｘ…金属板
１７…めねじ
１８…長穴
２１…高圧碍子
【図１】
0003557733.tif 000002
【図２】
0003557733.tif 000003
【図３】
0003557733.tif 000004
【図４】
0003557733.tif 000005